(57)【要約】【課題】使い勝手を向上させる。【解決手段】超極細繊維布で３本の指を入れられる袋状のフェイスクリーナ１を作り、指にこのフェイスクリーナ１を装着して洗顔などを行なう。【選択図】        図３
2005021350.tif 000002
【特許請求の範囲】
【請求項１】
超極細繊維布で指または手の入れられる袋を作り、指または手にこの袋を装着して洗顔などを行なうことを特徴とするフェイスクリーナ。
【請求項２】
普通繊維布で指または手の入れられる袋を作り、この袋の一方の面に超極細繊維布を貼り付け、指または手にこの袋を装着して洗顔などを行なうことを特徴とするフェイスクリーナ。
【請求項３】
扁平球のスポンジ体を超極細繊維布で包んだことを特徴とするフェイスクリーナ。
【請求項４】
超極細繊維布で親指を除いた手の入れられる袋を作り、この袋の親指部分の切れ目の下部をマジックテープで緊縛できるようになし、手にこの袋を装着して洗顔などを行なうことを特徴とするフェイスクリーナ。
【発明の詳細な説明】
【０００１】
【発明の属する技術分野】
本発明は、洗顔時などに使用するフェイスクリーナに関する。
【０００２】
【従来の技術】
超極細繊維布は、メガネ拭きとして使用されているが、この超極細繊維布を洗顔時に用いると、毛穴に詰まった脂質や角質細胞の混ざった汚れをきれいに洗い落とす効果があることが知られている。
【０００３】
【発明が解決しようとする課題】
超極細繊維布を洗顔時に使用する場合、超極細繊維布を指にからませるなどして使用するが、使い勝手が悪いという問題があった。
【０００４】
本発明はこのような従来の技術が有する課題を解決するために提案されたものであり、使い勝手を向上させたフェイスクリーナを提供することを目的とする。
【０００５】
【課題を解決するための手段】
この目的を達成するために本発明によるフェイスクリーナは、超極細繊維布で指または手の入れられる袋を作り、指または手にこの袋を装着して洗顔などを行なうことを特徴とする。
【０００６】
また、本発明によるフェイスクリーナは、普通繊維布で指または手の入れられる袋を作り、この袋の一方の面に超極細繊維布を貼り付け、指または手にこの袋を装着して洗顔などを行なうことを特徴とする。
【０００７】
また、本発明によるフェイスクリーナは、扁平球のスポンジ体を超極細繊維布で包んだ構成としてある。
【０００８】
また、本発明によるフェイスクリーナは、超極細繊維布で親指を除いた手の入れられる袋を作り、この袋の親指部分の切れ目の下部をマジックテープで緊縛できるようになし、手にこの袋を装着して洗顔などを行なうことを特徴とする。
【０００９】
【発明の実施の形態】
以下、本発明の実施の形態を図面に基づき詳細に説明する。
図１の平面図に、本発明によるフェイスクリーナの一実施形態を示し、図２にこのフェイスクリーナの断面図を示す。
これらの図で、図示のフェイスクリーナ１は、超極細繊維布を用いて形成された袋状をなしており、指３本が入るＳサイズとなっている。この袋の幅Ｗは７〜８ｃｍに形成され、長さＬは９〜１０ｃｍに形成されている。
超極細繊維布を構成する超極細繊維としては、東レ（株）のトレシー（商標）やカネボウ合繊（株）のベリーマＸ（商標）が挙げられる。
【００１０】
このフェイスクリーナ１は、図３に使用例を示すように親指と小指を除いた３本の指に装着され、洗顔料を併用しながら洗顔に用いられる。
従来の普通繊維２では、図４に示すように繊維径が約１５μｍあり、普通繊維布で汚れ３をぬぐった場合拭き残しが生じるが、超極細繊維４の場合、図５に示すように繊維径が約２μｍであり、拭き残しがあっても次々と他の繊維が汚れ３を拭き取っていくので、汚れが残らない。
また、図６に示すように拭き取られた汚れ３は、毛細管現象の力により繊維４の中に取り込まれるため、布表面に汚れが残り難く、皮ふ面への再付着が抑えられる。
【００１１】
つぎに、図７および図８に示す他の実施形態のフェイスクリーナを説明する。図示のフェイスクリーナ５は、超極細繊維布を用いて形成された袋状をなしており、指４本が入るＭサイズとなっている。この袋の幅Ｗは９〜１０ｃｍに形成され、長さＬは１５〜１６ｃｍに形成されている。
図９に使用例を示すように、このフェイスクリーナ５は親指を除いた４本の指に装着される。このフェイスクリーナ５は洗顔の用途ばかりでなく、手やひじ、首筋などを洗うのにも用いることができる。
【００１２】
つぎに、図１０に示す他の実施形態のフェイスクリーナを説明する。
図示のフェイスクリーナ６は超極細繊維布を用いて５本の指が入るように手袋状に形成されている。図１１に装着例が示されている。
【００１３】
つぎに、図１２に示す他の実施形態のフェイスクリーナを説明する。
このフェイスクリーナ７では、図１に示したフェイスクリーナを２枚紐８でつないだ構成となっている。図１３に使用例を示すように、このフェイスクリーナ７では、両手で洗顔ができるようになっている。
図７および図１０に示すフェイスクリーナ同サイズを２枚紐でつないだ構成としてもよい。
【００１４】
つぎに、図１４および図１５に示す他の実施形態のフェイスクリーナを説明する。
図示のフェイスクリーナ９では、普通繊維布を用いて３本の指が入る袋１０を形成し、この袋１０の一方の面に超極細繊維布１１を貼り付けた構成となっている。図１６に装着例を示す。
４本指が入るフェイスクリーナおよび５本指が入るフェイスクリーナを同様に構成してもよい。
【００１５】
なお、上述した各実施形態のフェイスクリーナにおいて、袋に指または手を入れたときに、指または手の形に布がフィットするように、袋の片面を収縮する布地にするか、入口にゴムバンドを取り付けるようにしてもよい。
【００１６】
つぎに、図１７および図１８に示す他の実施形態のフェイスクリーナを説明する。
このフェイスクリーナ１２では、合成樹脂材からなる扁平球のスポンジ体１３を超極細繊維布１４で包んだ構成としてある。
このフェイスクリーナ１２では、たわしをつかむ要領でクリーナ１２をつかみ洗顔などを行なうことができる。
【００１７】
つぎに、他の実施形態のフェイスクリーナを説明する。
まず、所定大きさ例えば約２０ｃｍ〜２４ｃｍ×２０ｃｍ×２４ｃｍの超極細繊維布１５を用意し、図１９に示すように４本指の入る上部部分を円弧状に裁断する。つぎに、破線で示す中央の折れ目で２つ折りにして、２点鎖線で示す円弧状部分を矢印ａまで縫製する。これにより親指の入る切れ目１６が作られる。なお、上部部分を円弧状に裁断せずに、４本指の入る形に、縫製してもよい。親指の入る切れ目１６の下部部分には、図２０に示すように一方の側にマジックテープの一側（雄側）１７を取り付け、他方の側にマジックテープの他側（雌側）１８を取り付ける。
このように構成される袋状のフェイスクリーナ１９では、図２１および図２２に示すように親指を除いた手に装着され、親指の入る切れ目１６の下部部分は、クロスさせてマジックテープで緊縛される。手に装着されたフェイスクリーナ１９を用いて、洗顔などを行なうことができる。
【００１８】
【発明の効果】
以上説明したように本発明によるフェイスクリーナによれば、超極細繊維布を用いて指または手が入るように袋状に構成したので、単に超極細繊維布を洗顔などに用いる場合と異なり、使い勝手が向上されるという利点がある。
また、本発明によるフェイスクリーナによれば、扁平球のスポンジ体を超極細繊維布で包んだ構成としたので、たわしをつかむ要領で洗顔などを行なうことができ、使い勝手が向上されるという利点がある。
【図面の簡単な説明】
【図１】本発明によるフェイスクリーナの一実施形態を示す平面図である。
【図２】図１のＡ−Ａ線断面図である。
【図３】図１のフェイスクリーナの装着例を示す図である。
【図４】従来の繊維で汚れを拭き取る場合を示す模式図である。
【図５】超極細繊維で汚れを拭き取る場合を示す模式図である。
【図６】汚れが超極細繊維内に取り込まれる様子を示す模式図である。
【図７】本発明によるフェイスクリーナの他の実施形態を示す平面図である。
【図８】図７のＢ−Ｂ線断面図である。
【図９】図７のフェイスクリーナの装着例を示す図である。
【図１０】本発明によるフェイスクリーナの他の実施形態を示す平面図である。
【図１１】図１０のフェイスクリーナの装着例を示す図である。
【図１２】本発明によるフェイスクリーナの他の実施形態を示す平面図である。
【図１３】図１２のフェイスクリーナの装着例を示す図である。
【図１４】本発明によるフェイスクリーナの他の実施形態を示す平面図である。
【図１５】図１４のＣ−Ｃ線断面図である。
【図１６】図１４のフェイスクリーナの装着例を示す図である。
【図１７】本発明によるフェイスクリーナの他の実施形態を示す平面図である。
【図１８】図１７のＤ−Ｄ線断面図である。
【図１９】本発明によるフェイスクリーナの他の実施形態の作り方を示す平面図である。
【図２０】本発明によるフェイスクリーナの他の実施形態を示す平面図である。
【図２１】図２０のフェイスクリーナの装着例を示す側面図である。
【図２２】図２０のフェイスクリーナの装着例を示す図である。
【符号の説明】
１，５，６，７，９，１２，１９  フェイスクリーナ
２  普通繊維
３  汚れ
４  超極細繊維
８  紐
１０  袋
１１  超極細繊維布
１３  スポンジ体
１４  超極細繊維布
１５  超極細繊維布
１６  切れ目
１７  マジックテープの一側
１８  マジックテープの他側
【図１】
2005021350.tif 000003
【図２】
2005021350.tif 000004
【図３】
2005021350.tif 000005
【図４】
2005021350.tif 000006
【図５】
2005021350.tif 000007
【図６】
2005021350.tif 000008
【図７】
2005021350.tif 000009
【図８】
2005021350.tif 000010
【図９】
2005021350.tif 000011
【図１０】
2005021350.tif 000012
【図１１】
2005021350.tif 000013
【図１２】
2005021350.tif 000014
【図１３】
2005021350.tif 000015
【図１４】
2005021350.tif 000016
【図１５】
2005021350.tif 000017
【図１６】
2005021350.tif 000018
【図１７】
2005021350.tif 000019
【図１８】
2005021350.tif 000020
【図１９】
2005021350.tif 000021
【図２０】
2005021350.tif 000022
【図２１】
2005021350.tif 000023
【図２２】
2005021350.tif 000024